(57)【要約】   ２つの管腔の接合部での環境への熱伝達を低減させる断熱アセンブリが提供される。前記アセンブリは、２つの管腔間の接合部を囲むように管腔に固定できる断熱ジャケットを備える。そのようなアセンブリの製造に関する方法も提供される。【選択図】      図１
2021503060.tif 000002
【特許請求の範囲】
【請求項１】
断熱アセンブリであって、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を有し、
（ｅ）前記ジャケットアセンブリは、前記第１の導管および前記第２の導管に密閉可能に固定され、
（ｆ）前記ジャケットの管腔の主軸に沿って測定したとき、前記ジャケット断熱空間は、前記第１の導管の少なくとも一部と前記第２の導管の少なくとも一部を覆っているものである、断熱アセンブリ。
【請求項２】
請求項１記載の断熱アセンブリにおいて、前記第１の導管を囲む第１のネジ付きナットと前記第１の導管を囲む第１のフェルールとをさらに有し、前記第１のネジ付きナットは、前記第１のフェルールが前記ジャケットアセンブリを前記第１の導管に密閉可能に固定するように前記第１のネジ付き継手と係合するものである、断熱アセンブリ。
【請求項３】
請求項１〜２のいずれかに記載の断熱アセンブリにおいて、前記外側ジャケットは第２のネジ付き継手に固定され、前記内側ジャケットが前記第２のネジ付き継手に固定され、前記断熱アセンブリはさらに、前記第２の導管を囲む第２のねじ付きナットと、前記第２の導管を囲む第２のフェルールとを有し、前記第２のネジ付きナットが前記第２のネジ付き継手と係合して、前記第２のフェルールが前記ジャケットアセンブリを前記第２の導管に密閉可能に固定するものである、断熱アセンブリ。
【請求項４】
請求項１〜２のいずれかに記載の断熱アセンブリにおいて、前記第１の管腔および前記第２の管腔は互いに同軸である、断熱アセンブリ。
【請求項５】
請求項１〜２のいずれかに記載の断熱アセンブリにおいて、前記第１の導管は第１の内管と第１の外管とを有し、前記第１の内管および前記第１の外管がそれらの間に密封された断熱空間を画定するものである、断熱アセンブリ。
【請求項６】
請求項５記載の断熱アセンブリにおいて、前記第１の導管の前記密閉された断熱空間と連通する通気孔であって、前記密閉された断熱空間からの出口経路をガス分子に提供する、通気孔をさらに有し、
この通気孔を介したガス分子の排気の後に前記通気孔は前記密閉された断熱空間内の真空を維持するために密閉可能であり、前記第１の壁と前記第２の壁の間の距離は前記通気孔に隣接する前記密閉された断熱空間の一部で可変であり、これにより前記密閉された断熱空間の排気中に前記第１および第２の壁の可変距離部分によって前記密閉された断熱空間内のガス分子が前記通気孔に誘導され、前記第１および第２の壁の可変距離部分によるガス分子の誘導は、ガス分子を前記密封された断熱空間へ流入させるよりもっと高い確率で流出させるものである、断熱アセンブリ。
【請求項７】
請求項５記載の断熱アセンブリにおいて、前記第１の導管の前記密封された断熱空間を密封する継手をさらに有し、任意で、前記継手が前記密封された断熱空間内に延びる部分を備えるものである、断熱アセンブリ。
【請求項８】
請求項１〜２のいずれかに記載の断熱アセンブリにおいて、
前記第２の導管は第２の内管および第２の外管を有し、前記第１の内管および前記第１の外管が、それらの間に密封された断熱空間を画定するものである、断熱アセンブリ。
【請求項９】
請求項８記載の断熱アセンブリにおいて、前記第２の導管の前記密閉された断熱空間と連通する通気孔であって、前記密閉された断熱空間からの出口経路をガス分子に提供する、通気孔をさらに有し、
この通気孔を介したガス分子の排気の後に前記通気孔は前記密閉された断熱空間内の真空を維持するために密閉可能であり、前記第１の壁と前記第２の壁の間の距離は前記通気孔に隣接する前記密閉された断熱空間の一部で可変であり、これにより前記密閉された断熱空間の排気中に前記第１および第２の壁の可変距離部分によって前記密閉された断熱空間内のガス分子が前記通気孔に誘導され、前記第１および第２の壁の可変距離部分によるガス分子の誘導は、ガス分子を前記密封された断熱空間へ流入させるよりもっと高い確率で流出させるものである、断熱アセンブリ。
【請求項１０】
請求項８記載の断熱アセンブリにおいて、前記第１の導管の前記密封された断熱空間を密封する継手をさらに有し、任意で、前記継手が前記密封された断熱空間内に延びる部分を備えるものである、断熱アセンブリ。
【請求項１１】
請求項１〜２のいずれかに記載の断熱アセンブリにおいて、
前記内側ジャケットと前記第１の導管がこれらの間に密閉空間を画定するものである、断熱アセンブリ。
【請求項１２】
請求項１〜２のいずれかに記載の断熱アセンブリにおいて、
前記内側ジャケットおよび前記第２の導管はそれらの間に密閉空間を画定するものである、断熱アセンブリ。
【請求項１３】
請求項１〜２のいずれかに記載の断熱アセンブリにおいて、
前記ジャケットの管腔の主軸に沿って測定する時、前記第１の導管は長さを画定し、前記第２の導管は長さを画定し、前記ジャケット断熱空間は、前記第１の導管および前記第２の導管のうちの少なくとも１つの長さの１〜約１０％の上にある。
【請求項１４】
請求項１〜１３のいずれかに記載の断熱アセンブリの前記第１の導管の管腔および前記第２の導管の管腔を通して流体を連通させる工程を有する方法。
【請求項１５】
方法であって、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を用いて、
前記第１の管腔を前記第２の管腔と連通するように配置し（密閉可能に行うことも可能）、前記ジャケット断熱空間は、前記ジャケットの管腔の主軸に沿って測定した時に前記第１の導管の少なくとも一部と前記第２の導管の少なくとも一部を覆うように前記ジャケットアセンブリを前記第１の導管および前記第２の導管に密閉可能に固定する工程を有する方法。    
【請求項１６】
請求項１５記載の方法において、前記密閉可能に固定する工程は、前記第１のネジ付き継手を第１のフェルールと係合させることによって行われ、前記係合は、任意で前記第１のネジ付き継手と係合するねじ付きナットによって行われるものである、方法。
【請求項１７】
請求項１５記載の方法において、前記密閉可能に固定する工程は、前記内側ジャケットと前記第１の導管との間に空間を画定するように行われるものである、方法。
【請求項１８】
請求項１５記載の方法において、前記外側ジャケットが第２のネジ付き継手に固定され、前記内側ジャケットが前記第２のネジ付き継手に固定され、さらに、前記第２のネジ付き継手を第２のフェルールと係合させる工程をさらに有し、これにより前記ジャケットアセンブリを前記第２の導管に固定するものであり、この係合は、任意で、前記第２のネジ付き継手と係合するネジ付きナットによって行われるものである、方法。
【請求項１９】
請求項１８記載の方法において、前記密閉可能に固定する工程は、前記内側ジャケットおよび前記第２の導管がそれらの間に空間を画定するように行われるものである、方法。
【請求項２０】
請求項１５記載の方法において、
前記第１の導管及び前記第２の導管の一方または両方が、断熱空間をその間に画定する内壁および外壁と、
前記ジャケット断熱空間と連通する通気孔と、を有し、
この通気孔は前記ジャケット断熱空間からの出口経路をガス分子に提供するものであり、前記通気孔を介したガス分子の排出に続いて、前記ジャケットの断熱空間内で前記通気孔は密閉可能であり、
前記第１の壁と第２の壁の間の距離は、任意で、前記通気孔に隣接する前記ジャケット断熱空間の一部で可変であり、これにより前記ジャケット断熱空間内のガス分子は前記ジャケット断熱空間の排気の間に前記第１および第２の壁の可変距離部分によって前記通気孔に誘導され、
前記第１および第２の壁の前記可変距離部分によるガス分子の誘導は、ガス分子を前記密封された断熱空間へ流入させるよりもっと高い確率で流出させるものである、方法。
【発明の詳細な説明】
【技術分野】
【０００１】
（関連出願）
本出願は、発明の名称「断熱コネクタ部品」の米国特許出願番号第６２／５８５，７４４号（２０１７年１１月１４日出願）の優先権および利益を主張する。この出願は、ここで参照することにより、あらゆる目的のためにその全文が本明細書に組み込まれる。
【０００２】
本出願は、真空断熱部品の分野および管間コネクタの分野に関する。
【背景技術】
【０００３】
流体処理の分野では、導管を通って流体が移動している間、流体の温度を維持しながら、流体を運ぶ必要がある。これを行うための既存の技術（たとえば、直線および曲線の配管）は、例えば鋳造または他の成形プロセスによって目的の形状に成形された後にその形状に固定される。
【発明の概要】
【発明が解決しようとする課題】
【０００４】
しかしながら、導管間のエンドツーエンド接続は、（１）接続における流体漏れ、（２）接続部での断熱能力の損失、の可能性を提示するので、そのような導管を互いに接続することは、課題を有する。したがって、当技術分野では、断熱導管を互いに接続するために有用なコネクタ（および関連する方法）が必要とされている。  
【課題を解決するための手段】
【０００５】
上述の長年にわたる課題を解決するために、本願は、断熱アセンブリを提供するものである。この断熱アセンブリは、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を有し、
（ｅ）前記ジャケットアセンブリは、前記第１の導管および前記第２の導管に密閉可能に固定され、
（ｆ）前記ジャケットの管腔の主軸に沿って測定したとき、前記ジャケット断熱空間は、前記第１の導管の少なくとも一部と前記第２の導管の少なくとも一部を覆っているものである、断熱アセンブリ。
【０００６】
また、本開示による断熱アセンブリの第１の導管の管腔および第２の導管の管腔を通して流体を連通させることを含む方法が提供される。
【０００７】
本願が提供する方法はさらに、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を用いて、
前記第１の管腔を前記第２の管腔と連通するように配置し（密閉可能に行うことも可能）、前記ジャケット断熱空間は、前記ジャケットの管腔の主軸に沿って測定した時に前記第１の導管の少なくとも一部と前記第２の導管の少なくとも一部を覆うように前記ジャケットアセンブリを前記第１の導管および前記第２の導管に密閉可能に固定する工程を有する方法を提供する。
【図面の簡単な説明】
【０００８】
図面では必ずしも一定の縮尺で描かれていないが、図面中で同様の数字は、異なる図において同様の構成要素を示すものである。異なる文字接尾辞を持つ同様の数字は、同様の部品の異なる例を表す場合があります。図面は、限定ではなく例を示すもので、本明細書で説明される様々な実施形態を一般的に示したものである。
【図１】図１は、本開示による例示的な絶縁アセンブリの外観図を示す。
【図２】図２は、本開示による複数の絶縁導管のアセンブリの簡略化された外観図を示す。
【発明を実施するための形態】
【０００９】
本開示は、本開示の一部を形成する添付の図および実施例に関連した以下の詳細な説明を参照することにより、より容易に理解することができる。本発明は、本明細書で説明および／または示される特定のデバイス、方法、用途、条件またはパラメータに限定されず、本明細書で使用される用語は、例として特定の実施形態を説明することのみを目的とするものであり、特許請求される発明を限定することを意図するものではないことを理解されたい。また、添付の特許請求の範囲を含む明細書で使用されるように、単数形「ａ」、「ａｎ」、および「ｔｈｅ」は複数を含み、特定の数値への言及は、文脈が明確に指示しない限り、少なくともその特定の値を含む。本明細書で使用される「複数」という用語は、１よりも大きいことを意味する。値の範囲が表現される場合、別の実施形態は、ある特定の値から、および／または他の特定の値までを含む。同様に、先行詞「約」が使用されて、値が近似値として表される場合、特定の値が別の実施形態を構成することが理解されよう。すべての範囲は包括的で組合せ可能であり、工程は任意の順序で実行できることが理解される必要がある。
【００１０】
明確化のために、本明細書で個別の実施形態の文脈で説明されている本発明の特定の特徴は、単一の実施形態で組み合わせて提供可能であることを理解されたい。逆に、簡略化のために単一の実施形態の文脈で説明されている本発明の様々な特徴は、別個にまたは任意の部分的組合せで提供することも可能である。さらに、範囲で示された値への言及は、その範囲内のすべての値を含む。さらに、「有する」という用語は、その標準的な制限のない意味を有すると理解されるべきであるが、「から構成される」も包含するものと理解されるべきである。たとえば、パーツＡとパーツＢを有するデバイスには、パーツＡとパーツＢ以外のパーツを有することができるが、パーツＡとパーツＢからのみで構成することもできる。
【００１１】
米国特許第７，６８１，２９９号および第７，３７４，０６３号（あらゆる目的のためにその全文が参照により本明細書に組み込まれる）に説明されているように、断熱空間の形状は、空間内のガス分子を空間から通気孔または他の出口に向けてガイドするようなものであり得る。真空断熱空間の幅は、空間の長さ全体にわたって均一である必要はない。空間は、空間を画定する１つの表面が、空間を画定する別の表面に向かって収束するように、傾斜部分を含むことができる。結果として、表面を隔たせる距離は、通気孔に隣接して変化可能であり、そのため、この距離は、通気孔が真空空間と連通する位置に隣接して最小になる。低分子濃度の状態においてガス分子と可変距離部分の間の相互作用は、ガス分子を通気孔に誘導するのに役立つ。
【００１２】
空間の分子誘導形状は、構造の外部に作用するものよりも空間内で密閉されるより深い真空に対して提供される。本発明の形状は、ガス分子が進入するよりも、空間から排出する確率を大幅に増大させるので、空間内のより深い真空というこの幾分直観に反する結果が達成される。実際には、断熱空間の形状は逆止弁のように機能し、ガス分子が一方向に（通気孔で定義された出口経路を介して）自由に通過できるようにし、且つ反対方向の通過をブロックする。
【００１３】
断熱空間の形状によって提供されるより深い真空に関連する別の利点は、断熱空間内でゲッター材を必要とせずに達成できることである。ゲッター材なしでそのような深い真空を生成させる能力は、空間の制約がゲッター材料の使用を制限するような、小型の装置および狭い幅の断熱空間を有する装置において、より深い真空を提供する。
【００１４】
真空空間を画定する表面上での低放射率コーティングなどの他の真空増強機能も含めることができる。当該技術分野で一般に知られているそのようなコーティングの反射面は、放射エネルギーの熱伝達光線を反射する傾向がある。コーティングされた表面を通る放射エネルギーの通過を制限することにより、真空空間の断熱効果が高まる。  
いくつかの実施形態では、アーティクルは、それらの間に断熱空間を画定するための距離で離間された第１および第２の壁と、断熱空間に連通する通気孔を含み、この通気孔はガス分子に断熱空間からの出口経路を提供する。通気孔は、通気孔を介したガス分子の排出に続いて断熱空間内の真空を維持するために密閉可能である。第１の壁と第２の壁との間の距離は、断熱空間の排気の間に断熱空間内のガス分子が通気孔に誘導されるように、通気孔に隣接する断熱空間の一部において可変である。ガス分子の通気孔への誘導は、ガス分子を前記密封された断熱空間へ流入させるよりもっと高い確率で流出させ、それにより、断熱空間にゲッター材料を必要とせずにより深い真空を提供する。
【００１５】
本発明によるガス分子誘導形状を有する構造の構築は、任意の特定のカテゴリーの材料に限定されるものではない。本発明による断熱空間を組み込んだ構造を形成するのに適した材料には、例えば、金属、セラミック、半金属、またはそれらの組み合わせが含まれる。
【００１６】
空間の収束は、次のように分子を導く。空間の排気中に構造の形状が一次効果になるまでガス分子濃度が十分に低くなると、空間の可変距離部分の収束壁が空間内のガス分子を通気孔に向ける。ガス分子が流入するよりも、空間から流出する確率が大幅に増加するため、真空空間の収束壁部分の形状は、逆止弁やダイオードのように機能する。
【００１７】
構造の分子誘導形状が分子流出に対する流入の相対的確率に及ぼす影響は、真空空間の収束壁部分を、粒子の流れに直面している漏斗に例えることによって理解することができる。粒子の流れに対する漏斗の方向によって、漏斗を通過する粒子の数は大きく異なる。粒子の流れが最初に漏斗出口ではなく漏斗入口の収束面に接触するように漏斗が向けられている場合、より多くの粒子が漏斗を通過することは明らかであり。
【００１８】
漏斗のように空間からガス粒子を誘導するために断熱空間のための収束壁出口形状を組み込んだ装置の様々な例が本明細書で提供される。本発明のガス誘導形状は、収束壁ファネリング構造に限定されず、代わりに、他の形態のガス分子誘導形状を利用できることを理解されたい。いくつかの例示的な真空断熱空間（およびそのような空間を形成および使用するための関連技術）は、Ａ．  Ｒｅｉｄらによる米国公開特許出願２０１７／０２５３４１６；２０１７／０２２５２７６、２０１７／０１２０３６２、２０１７／００６２７７４、２０１７／００４３９３８、２０１６／００８４４２５、２０１５／０２６０３３２、２０１５／０１１０５４８、２０１４／００９０７３７、２０１２／００９０８１７、２０１１／０２６４０８４、２００８／０１２１６４２、２００５／０２１１７１１に記載されており、すべての目的のためにそれらの全文が参照により本明細書に組み込まれる。このような空間は、Ｉｎｓｕｌｏｎ（商標）空間と呼ばれる。
【００１９】
図面
以下は、添付の非限定的な図に関する追加の詳細である。
【００２０】
図１は、本開示による物品の非限定的な断面図を提供する。図１に示すように、ジャケットを使用して、第１の導管１０と第２の導管２０との間に断熱された流体接続を形成することができる。
【００２１】
図示されるように、第１の導管１０は、内管１０１８および外管１０１４を含むことができる。密封された真空断熱空間１０１６が、内管１０１８と外管１０１４との間に画定される。内管１０１８は、その中に管腔１０２０を画定する。
【００２２】
そのような断熱空間を形成するための適切な方法は、本明細書で言及されているＲｅｉｄによる様々な文献に見出すことができる。Ｒｅｉｄによる文献に記載されているように、密閉された断熱空間１０１６は、内管と外管との間の可変距離によって形成された通気孔を含み、第１および第２の壁の間の距離が通気孔に隣接する断熱空間の部分で可変になり、これにより断熱空間内のガス分子が断熱空間の排気中に通気孔に誘導される。ガス分子の通気孔への誘導、ガス分子を前記密封された断熱空間へ流入させるよりもっと高い確率で流出させ、それにより、断熱空間にゲッター材料を必要とせずにより深い真空を提供する。空間の収束は、次の方法で分子の誘導を提供する。空間の排気中にガス分子濃度が十分に低くなり、構造の形状が一次効果になると、空間の可変距離部分の収束壁が空間内のガス分子を通気孔に向かって誘導する。真空空間の収束壁部分の形状は、ガス分子が流入する確率よりも空間から流出する確率が大幅に増加させるため逆止弁やダイオードのように機能する。このような空間は、Ｉｎｓｕｌｏｎ（商標）空間と呼ばれる。密閉された空間は、環状の形状が可能である。
【００２３】
図示されるように、本開示によるアセンブリはまた、第２の導管２０を含み得る。第２の導管２０は、内管１０１８ａを含み、内管は、内部に管腔１０２０ａを画定する。第２の導管２０はまた、外管１０１４ａを含むことができ、密閉された真空断熱空間１０１６ａは、外管１０１４ａと内管１０１８ａとの間に画定することができる。適切なそのような密閉された真空断熱空間は、例えば、Ｉｎｓｕｌｏｎ（商標）空間であり得る。
【００２４】
図示されるように、（第１の）継手１０２４は、内管１０１８と外管１０１４との間の空間１０１６を封止するように配置できる。継手１０２４は、図示されるように、空間１０１６中に延びる部分（例えば、フランジ）を含み得る。ただし、これは必須ではない。フランジは、空間１０１６内に延びる湾曲した、傾斜した、先細、またはその他の形状の領域を含むことができる。継手１０２４は、第２の導管２０に面する対向部分（ラベルなし）も含むことができる。対向部分は、平坦または湾曲することができる。いくつかの実施形態では、継手１０２４は、継手１０２４ａ（本明細書の他の場所で説明）またはシーラー１０２６（本明細書の他の場所で説明）と係合するように構成された特徴（例えば、溝、隆起、タブ、フランジなど）を含む。
【００２５】
また、図示されるように、（第２の）継手１０２４ａは、第２の導管２０の内管１０１８ａと外管１０１４ａとの間の空間１０１６ａを密閉するように配置可能である。継手１０２４ａは、図示されるように、空間１０１６ａ中に延びる部分（例えば、フランジ）を含み得る。ただし、これは必須ではない。フランジは、空間１０１６ａ内に延びる湾曲した、傾斜した、先細、またはその他の形状の領域を含むことができる。
継手１０２４ａはまた、第２の導管１０に面する対向部分（ラベルなし）を含むことができる。対向部分は、平坦または湾曲することができる。いくつかの実施形態では、継手１０２４ａは、継手１０２４（本明細書の他の場所で説明）またはシーラー１０２６（本明細書の他の場所で説明）と係合するように構成された特徴（例えば、溝、隆起、タブ、フランジなど）を含む。図１には図示されないが、継手１０２４および１０２４ａは、単一の継手に組み合わせてもよく、これらに、外管１０４および１０１４ａならびに内管１０１８および１０１８ａが密封される。
【００２６】
例えば（図１を参照）、単一の継手が、対向する第１および第２のフランジを含み、第１のフランジは（そして、いくつかの実施形態では、密閉）空間１０１６に延在し、第２のフランジ（および、いくつかの実施形態では、密閉）空間１０１６ａに延在することが可能である。
【００２７】
本開示によるアセンブリはまた、ジャケットアセンブリを含み得る。図１に示されるように、ジャケットアセンブリは、第１のナット１０００を含む。第１のナット１０００は、第１のフェルール１０１２ならびに第２のフェルール（「第１のネジ付き継手」とも呼ばれる）１００４とネジ付き式に係合し得る。第１のフェルール１０１２は、第２のフェルール１００４と直接的または間接的に係合する傾斜またはくさび形部分（ラベルなし）を含むことができる。ナット１０００の回転により、第１フェルール１０１２は第２フェルール１００４に向かって前進し、それによって第１フェルール１０１２と外管１０１４の間に圧縮をもたらす。ナット１０００は、外管１０１４に固定することができる。第２のフェルール１００４は、外管１０１４に固定することができる。
【００２８】
第２のフェルール１００４は、外側ジャケット１００６に封止することができ、また内側ジャケット１０１０に封止することもできる。外側ジャケット１００６と内側ジャケット１０１０との間に、密閉された真空断熱空間１００８を形成することができる。適切なそのような空間は、本明細書の他の箇所で説明されている。第２のフェルール１００４は、外側ジャケット１００６および内側ジャケット１０１０の一方または両方と係合するように構成された部分１００２を含むことができる。一例として、第２のフェルール１００４は、外側ジャケット１００６および内側ジャケット１０１０の一方または両方と適合する１つまたは複数の溝、凹部、または他の特徴を含むことができる。  
図１に示すように、空間１００８は、第１の導管１０と第２の導管２０との間の接合部を取り囲むことができる。  図示されるように、空間１００８のｘ方向の主軸（図示せず）に沿って、空間１００８は、第１の導管の管腔１０２０と第２の導管の管腔１０２０ａとの間の接合部を取り囲む。
【００２９】
図１に示されるように、ジャケットアセンブリは、第２のナット１０００ａを含み得る。第２のナット１０００ａは、第４のフェルール１００４ａ、ならびに第４のフェルール１００４ａと係合する傾斜またはくさび形部分（ラベルなし）を含むことができる。第２のナット１００１ａの回転によって、第３のフェルール１０１２ａは、第２のフェルール１００４ａに対して前進し、それにより、第３のフェルール１０１２ａと外管１０１４ａとの間の圧縮をもたらす。
【００３０】
第４のフェルール１００４ａは、外側ジャケット１００８ａに封止することができ、内側ジャケット１０１０にも封止することができる。封止された排気された断熱空間１００８ａを、外側ジャケット１００６と内側ジャケット１０１０との間に形成することができる。そのような適切な空間については本明細書の他の箇所で説明される。第４のフェルール１００４ａは、外側ジャケット１００６および内側ジャケット１０１０の一方または両方と係合するように構成された部分１００２を含むことができる。一例として、ねじ部１００４ａは、外側ジャケット１００６および内側ジャケット１０１０の一方または両方に適合する１つまたは複数の溝、くぼみ、または他の特徴を含むことができる。第３のフェルール１０１２ａは、外管１０１４ａに固定され得る。ナット１０００ａは、外管１０１４ａに固定され得る。第２のフェルール１００４ａは、外管１０１４ａに固定され得る。  
【００３１】
図１に示すように、外側ジャケット１００６、内側ジャケット１０１０、および密閉された真空空間１００８を含むジャケットアセンブリは、第１の導管１０および第２の導管２０のそれぞれと係合する可動圧縮フェルールによって第１の導管１０および第２の導管に固定される。実施形態によっては、ジャケットアセンブリは、圧縮フェルールを使用せずに、第１の導管１０および第２の導管２０の少なくとも一方に固定される。そのような一実施形態では、ジャケットアセンブリは、図１に示されるように第１の導管に固定され、第２の導管には例えば、ろう付けまたは他の不動付着によって固定される。
【００３２】
図１に示されるように、空間１０２２は、内側ジャケット１０１０と外管１０１４との間に画定され得る。空間１０２２は、密閉可能である。空間１０２２は、大気圧であってもよく、例えば、周囲空気で満たしてジャケットアセンブリと管腔１０２０および１０２０ａとの間に断熱「エアギャップ」を提供するようにしてもよい。空間１０２２は、また真空にすることができる。同様に、空間１０２２ａは、内側ジャケット１０１０と外管１０１４との間に画定され得る。空間１０２２ａは、密閉可能である。空間１０２２ａはまた、大気圧であってもよく、例えば、周囲空気で満たして（且つ密閉して）ジャケットアセンブリと管腔１０２０及び１０２０ａとの間に断熱エアギャップを提供するようにしてもよい。空間１０２２ａもまた真空にすることができる。
【００３３】
本開示によるアセンブリは、シーラー１０２６をさらに含んでもよいが、これは要件ではない。シーラー１０２６は、第１の導管１０の管腔１０２０と第２の導管２０の管腔１０２０ａとの間に液密シールを形成するように、継手１０２４および／または１０２４ａと係合可能である。シーラー１０２６は、弾性材料、例えばエラストマー材料を含み得る。シーラー１０２６は、ポリマーおよび／または金属で形成することができる。シーラー１０２６は内側ジャケット１０１０と接触するようにしてもよいが、シーラー１０２６は内側ジャケット１０１０と接触しないように寸法を定めることもできるので、これは要件ではない。
【００３４】
ただし、シーラー１０２６はオプションであり、必須ではない。一例として（および図１を参照して）、継手１０２４および１０２４ａは、互いに直接接触可能であり、それによって、管腔１０２０および１０２０ａの間の流体連通を生じさせ、この流体連通は、密閉可能である。継手１０２４および１０２４ａの一方または両方は、継手１０２４および１０２４ａの他方と係合する係合機能（例えば、タブ、リッジ、スロット、溝など）を含むことができる。１つまたは複数の留め具を使用して、第１の導管１０と第２の導管２０との間の流体連通をもたらすこともできる。一例として、１つまたは複数の留め具を使用して、継手１０２４および１０２４ａを互いに固定することができる。
【００３５】
図１に示すように、物品は、軸方向Ｘおよび半径方向Ｒを画定することができる。シーラー１０２６は、軸方向に沿った幅Ｗｓｅａｌｅｒを画定することができる。  断熱空間１００８は、軸方向に幅Ｗｉｎｓｕｌａｔｉｎｇを画定することができる。いくつかの実施形態では、ＷｉｎｓｕｌａｔｉｎｇはＷｓｅａｌｅｒよりも大きい。
【００３６】
特定の理論に束縛されることなく、本開示によるアセンブリ内に位置する分子は、その分子が方向Ｒに沿って（図１を参照して）半径方向外向きに移動するときに、少なくとも１つの密閉された真空断熱空間を横切る。ここでも、特定の理論に縛られることなく、ジャケットアセンブリは、２つの導管のそれぞれの長さに沿って、またこれらの導管の接続点で、密閉された真空断熱層を可能にする。
【００３７】
図示されるように、ユーザは、ナット１０００のねじ山を第１のフェルール１０１２のねじ山と係合するように、ナット１０００をねじることができる。手動で、またはレンチやその他の取付具で取り付けることができる。ねじ係合の作用により、第１のフェルール１０１２は、第２のフェルール１００４に向かって作用し、次に、外側ジャケット１００６および内側ジャケット１０１０を外管１００６に固定するように作用する。
【００３８】
例示的な図１を参照すると（そして特定の理論に拘束されることなく）、ジャケットは、フェルール１０１２およびフェルール１０１２ａの作用により、外管に固定され得る。第１の導管１０および第２の導管はまた、フェルール１０１２および１０１２ａの作用によって互いに作用することができる。これには、継手１０２４と１０２４ａ（存在する場合）の相互作用も含まれる。そのような作用は、管腔１０２０と管腔１０２０ａとの間にシールを形成することができる。  
継手配置により、外側ジャケット１００６および内側ジャケット１０１０（ならびに空間１００８）は、２つの断熱された物品の接合部を囲む断熱を提供するように配置可能である。このようにして、開示された物品は、２つの管の間の接合部に関連する熱伝達を低減または排除さえする。したがって、開示された技術を使用することにより、ユーザは、一連の断熱物品（例えば、管）を形成して、単一の管ユニットでは容易に達成できない断熱流体経路の長さ（または形状）を達成することができる。次に、ジャケットアセンブリが、管の２つのセグメント間の接合部の上に設置され（例えば、スライドされ）、次に本明細書の他の場所に記載されるように例えば継手構成を介して、固定可能である。
【００３９】
２つの導管の間の接合部の近くに断熱を提供することに加えて、開示されたジャケットアセンブリはまた、２つの導管の間の接合部から漏れる可能性があるあらゆる流体の封じ込めを提供する。本明細書の他の箇所で説明するように、ジャケットアセンブリは、一方または両方の導管に密閉可能に固定でき、この密閉可能な固定により、導管間の接合部から漏れる可能性のあるあらゆる流体を封じ込めることができる。
【００４０】
図２は、本開示による断熱管セグメントの配置２００の例示的な簡略化された描写を提供する。図２に示すように、第１のジャケットアセンブリ２０８は、第１の管セクション２０２と第２の管セクション２０４との間の接合部２１０の上に配置される。
【００４１】
同様に、第２のジャケットアセンブリ２１２は、第２の管セクション２０４と第３の管セクション２０６との間の接合部２１４上に配置される。本明細書の他の箇所で説明されるように、管セクション２０２、２０４、および２０６のいずれも、それらの間に密封された断熱空間を画定する内壁および外壁を備えることができる。このような空間は、Ｉｎｓｕｌｏｎ（商標）空間であり得る。（ジャケットアセンブリには、ナット、フェルール、またはその他の継手も含めることができる。簡略化のために、そのような継手は図２には図示していない。
【００４２】
同様に、ジャケットアセンブリ２０８および２１２のいずれも、それらの間に密閉された断熱空間を画定する内側および外側ジャケットを備えることができる。密封された空間は、例えば、本明細書の他の箇所で説明されるように、Ｉｎｓｕｌｏｎ（商標）空間であり得る。また、本明細書の他の箇所で説明されているように、構成２００は、管セグメントの外管とジャケットアセンブリの内側ジャケットとの間に空間を含むことができる。この空間は大気圧にすることも可能であるが、減圧状態にすることもでき、Ｉｎｓｕｌｏｎ（商標）空間として形成も可能である。
【００４３】
図１は、第１および第２の導管１０および２０を直線形として示しているが、導管は、湾曲した、またはそうでなければ非線形の部分を含むことができることを理解されたい。一例として、第１の導管は、湾曲部分および直線部分を含むことができ、ユーザーは、第１の導管の直線部分を第２の導管に接続することができる。
例示的実施形態
以下の実施形態は単なる例示であり、本開示の範囲または添付の特許請求の範囲を限定するためのものではない。
【００４４】
実施形態１
断熱アセンブリであって、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を有し、
（ｅ）前記ジャケットアセンブリは、前記第１の導管および前記第２の導管に密閉可能に固定され、
（ｆ）前記ジャケットの管腔の主軸に沿って測定したとき、前記ジャケット断熱空間は、前記第１の導管の少なくとも一部と前記第２の導管の少なくとも一部を覆っているものである、断熱アセンブリ。
【００４５】
上述したように、第１と第２の壁の間の距離は、通気孔に隣接するジャケット断熱空間の一部で可変であり、ジャケット断熱空間の排気の間にジャケット断熱空間内のガス分子は、第１および第２の可変距離部分によって通気孔に誘導され、第１および第２の壁の可変距離部分によるガス分子の誘導は、ガス分子を前記密封された断熱空間へ流入させるよりもっと高い確率で流出させるものである。これは必須ではないが、特に適していると考えらる。ジャケット断熱空間は、（例えば、周囲空気または他のガスで満たされた）周囲圧力であり得ることを理解されたい。いくつかの実施形態では、ジャケット断熱空間は、減圧、例えば、真空であり得る。
【００４６】
本明細書の他の箇所で説明されているように、ジャケットアセンブリは、導管上にスライドさせて、所定の位置に固定することができる。このようにして、本開示は、例えば、導管の端部をリングに当接させ、次に、ジャケットアセンブリを導管にしっかりと密閉することにより、ユーザーが２つの導管間の接合部を形成できるので、導管間の簡略化された接続を提供し、  導管の周りに断熱をまた導管間の接合部の周りに流体の封じ込みを提供する。
【００４７】
実施形態２
実施形態１の断熱アセンブリは、前記第１の導管を囲む第１のネジ付きナットと前記第１の導管を囲む第１のフェルールとをさらに有し、前記第１のネジ付きナットは、前記第１のフェルールが前記ジャケットアセンブリを前記第１の導管に密閉可能に固定するように前記第１のネジ付き継手と係合するものである。図１に示されるように、ネジ付き継手およびフェルールの一方または両方は、他方と係合する角度の付いた部分（例えば、くさび）を有することができる。
【００４８】
実施形態３
実施形態１〜２のいずれかの断熱アセンブリにおいて、前記外側ジャケットは第２のネジ付き継手に固定され、前記内側ジャケットが前記第２のネジ付き継手に固定され、断熱アセンブリはさらに、前記第２の導管を囲む第２のねじ付きナットと、前記第２の導管を囲む第２のフェルールとを有し、前記第２のネジ付きナットが前記第２のネジ付き継手と係合して、前記第２のフェルールが前記ジャケットアセンブリを前記第２の導管に密閉可能に固定するものである。フェルールと継手の間の係合は、これらの一方または両方の角度の付いた部分の間が可能である。
【００４９】
実施形態４
実施形態１〜３のいずれかの断熱アセンブリにおいて前記第１の管腔および前記第２の管腔は互いに同軸である。いくつかの実施形態では、前記管腔は同じ断面寸法を有するが、これは要件ではない。
【００５０】
実施形態５
実施形態１〜４のいずれかの断熱アセンブリにおいて、前記第１の導管は第１の内管と第１の外管とを有し、前記第１の内管および前記第１の外管がそれらの間に密封された断熱空間を画定するものである、断熱アセンブリ。
【００５１】
実施形態６
実施形態５の断熱アセンブリは、前記第１の導管の前記密閉された断熱空間と連通する通気孔であって、前記密閉された断熱空間からの出口経路をガス分子に提供する、通気孔をさらに有し、この通気孔を介したガス分子の排気の後に前記通気孔は前記密閉された断熱空間内の真空を維持するために密閉可能であり、前記第１の壁と前記第２の壁の間の距離は前記通気孔に隣接する前記密閉された断熱空間の一部で可変であり、これにより前記密閉された断熱空間の排気中に前記第１および第２の壁の可変距離部分によって前記密閉された断熱空間内のガス分子が前記通気孔に誘導され、前記第１および第２の壁の可変距離部分によるガス分子の誘導は、ガス分子を前記密封された断熱空間へ流入させるよりもっと高い確率で流出させるものである。前記第１の導管の前記密閉された断熱空間は例えばＩｎｓｕｌｏｎ（商標）空間であり得る。
【００５２】
実施形態７
実施形態５〜６のいずれかの断熱アセンブリにおいて、前記第１の導管の前記密封された断熱空間を密封する継手をさらに有し、任意で、前記継手が前記密封された断熱空間内に延びる部分を備えるものである。前記フランジと前記導管の管との間の距離は、密閉された断熱空間内のガス分子が可変距離部分によって通気孔に向けられるように、通気孔に隣接する密閉された断熱空間の一部において可変であり得る。
【００５３】
実施形態８
実施形態１〜７のいずれかの断熱アセンブリにおいて、前記第２の導管は第２の内管および第２の外管を有し、前記第１の内管および前記第１の外管が、それらの間に密封された断熱空間を画定するものである。
【００５４】
実施形態９
実施形態８の断熱アセンブリにおいて、前記第２の導管の密閉された断熱空間と連通する通気孔をさらに有し、前記密閉された断熱空間からのガス分子の出口経路を提供するものであり、この通気孔を介したガス分子の排気の後に前記通気孔は前記密閉された断熱空間内の真空を維持するために密閉可能であり、前記第１の壁と前記第２の壁の間の距離は前記通気孔に隣接する前記密閉された断熱空間の一部で可変であり、これにより前記密閉された断熱空間の排気中に前記第１および第２の壁の可変距離部分によって前記密閉された断熱空間内のガス分子が前記通気孔に誘導され、前記第１および第２の壁の可変距離部分によるガス分子の誘導は、ガス分子を前記密封された断熱空間へ流入させるよりもっと高い確率で流出させるものである。
【００５５】
実施形態１０
実施形態８〜９のいずれかの断熱アセンブリにおいて、前記第１の導管の前記密封された断熱空間を密封する継手をさらに有し、任意で、前記継手が前記密封された断熱空間内に延びる部分を備えるものである。
【００５６】
実施形態１１
実施形態１〜１０のいずれかの断熱アセンブリにおいて、前記内側ジャケットと前記第１の導管がこれらの間に密閉空間を画定する。この空間は、断熱と流体の封じ込めを提供する。
【００５７】
実施形態１２
実施形態１〜１１のいずれかの断熱アセンブリにおいて、前記内側ジャケットおよび前記第２の導管はそれらの間に密閉空間を画定する。
【００５８】
実施形態１３
実施形態１〜１２のいずれかの断熱されたアセンブリでにおいて、前記ジャケットの管腔の主軸に沿って測定する時、前記第１の導管は長さを画定し、前記第２の導管は長さを画定し、前記ジャケット断熱空間は、第１の導管および第２の導管のうちの少なくとも１つの長さの１〜約１０％にわたる。
【００５９】
実施形態１４
実施形態１〜１３のいずれかによる断熱されたアセンブリの第１の導管の管腔および第２の導管の管腔を通して流体を連通させる工程を有する方法。前記連通される流体は、０℃未満等の比較的低温が可能である。いくつかの実施形態では、前記連通される流体は、例えば１００℃を超えるなど、比較的温かい場合もある。
【００６０】
実施形態１５
方法であって、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を用いて、
前記第１の管腔を前記第２の管腔と連通するように配置し（密閉可能に行うことも可能）、前記ジャケット断熱空間は、前記ジャケットの管腔の主軸に沿って測定した時に前記第１の導管の少なくとも一部と前記第２の導管の少なくとも一部を覆うように前記ジャケットアセンブリを前記第１の導管および前記第２の導管に密閉可能に固定する工程を有する方法。    
上述したように、第１の壁と第２の壁との間の距離は、通気孔に隣接するジャケット断熱空間の一部において可変であり得、その結果、ジャケット断熱空間内のガス分子は、ジャケット断熱空間の排気の間に第１および第２の壁の可変距離部分によって通気孔に誘導され、第１および第２の壁の可変距離部分によるガス分子の誘導は、ガス分子を前記密封された断熱空間へ流入させるよりもっと高い確率で流出させるものである。これは必須事項ではないが、特に適していると考えられる。
【００６１】
実施形態１６
実施形態１５の方法において、前記密閉可能に固定する工程は、前記第１のネジ付き継手を第１のフェルールと係合させることによって行われ、任意で、前記第１のネジ付き継手と係合するねじ付きナットによって係合が行われるものである。
【００６２】
実施形態１７
実施形態１５〜１６のいずれかの方法において、前記密閉可能に固定する工程は、前記内側ジャケットと前記第１の導管との間に空間を画定するように行われるものである。
【００６３】
実施形態１８
実施形態１５〜１８のいずれかの方法において、前記外側ジャケットが第２のネジ付き継手に固定され、前記内側ジャケットが前記第２のネジ付き継手に固定され、さらに、前記第２のネジ付き継手を第２のフェルールと係合させる工程をさらに有し、これにより前記ジャケットアセンブリを前記第２の導管に固定するものであり、この係合は、任意で、前記第２のネジ付き継手と係合するネジ付きナットによって行われる。
【００６４】
実施形態１９
実施形態１８の方法において、前記密閉可能に固定する工程は、前記内側ジャケットおよび前記第２の導管がそれらの間に空間を画定するように行われる。
【００６５】
実施形態２０
実施形態１５〜１９のいずれかの方法において、前記第１の導管及び前記第２の導管の一方または両方が、間に断熱空間を画定する内壁および外壁と、前記ジャケット断熱空間と連通する通気孔とを有し、この通気孔は前記ジャケット断熱空間からの出口経路をガス分子に提供するものであり、前記通気孔を介したガス分子の排出に続いて、前記ジャケットの断熱空間内で前記通気孔は密閉可能であり（例えば、真空などの減圧を維持するために）、前記第１の壁と第２の壁の間の距離は、任意で、前記通気孔に隣接する前記ジャケット断熱空間の一部で可変であり、これにより前記ジャケット断熱空間内のガス分子は前記ジャケット断熱空間の排気の間に前記第１および第２の壁の可変距離部分によって前記通気孔に誘導され、前記第１および第２の壁の前記可変距離部分によるガス分子の誘導は、ガス分子を前記密封された断熱空間へ流入させるよりもっと高い確率で流出させるものである。
【００６６】
上述したように、第１の壁と第２の壁との間の距離は、通気孔に隣接するジャケット断熱空間の一部において可変であり得、その結果、ジャケット断熱空間内のガス分子は、ジャケット断熱空間の排気の間に第１および第２の壁の可変距離部分によって通気孔に誘導され、第１および第２の壁の可変距離部分によるガス分子の誘導は、ガス分子を前記密封された断熱空間へ流入させるよりもっと高い確率で流出させるものである。これは必須事項ではないが、特に適していると考えられる。
【図１】
2021503060.tif 000003
【図２】
2021503060.tif 000004
【国際調査報告】
2021503060.tif 000005
2021503060.tif 000006